(57)【要約】【課題】道路の幅員が狭い場合であっても長尺物を無難に搬送出来るようにする自走式長尺物搬送車とその操作方法を提供する。【解決手段】本発明の自走式長尺物搬送車１は、長尺物２０を載置させる架台２と、架台２の一方端を支持する支点７と他方端を起伏可能に支持するジャッキ１０から成る起伏装置５及び起伏装置５を装備する架台支持盤４から成る自走式走行車３から構成され、支点７を起伏装置５のジャッキ１０の伸長に従ってジャッキ１０の方向に移動させたり、自走式搬送車３の前後輪共ステアリングを切れるように構成したりすることを特徴としている。【選択図】      図１−１
2005206119.tif 000002
【特許請求の範囲】
【請求項１】
長尺物を載置させる架台、該架台の一方端を支持する支点と他方端を起伏可能に支持するジャッキから成る起伏装置及び該起伏装置を装備する架台支持盤から成る自走式走行車から構成される自走式長尺物搬送車。
【請求項２】
起伏装置の支点が、起伏装置のジャッキの伸長に従ってジャッキの方向に移動されることを特徴とする請求項１に記載の自走式長尺物搬送車。
【請求項３】
自走式搬送車が、前後輪共ステアリングを切れるように構成されることを特徴とする請求項１又は２に記載の自走式長尺物搬送車。
【請求項４】
請求項１乃至３のいずれかに記載の自走式長尺物搬送車の操作方法であって、長尺物を載置させた自走式搬送車が走行方向を変更する際に、長尺物を載置させている架台を必要に応じて起こさせて長尺物の走路からのはみ出しを制限する請求項１乃至３のいずれかに記載の自走式長尺物搬送車の操作方法。
【請求項５】
長尺物を載置させている架台の起こしが、起伏装置のジャッキを伸長させると共に起伏装置の支点を起伏装置のジャッキの伸長に従ってジャッキの方向に移動させて行われることを特徴とする請求項４に記載の自走式長尺物搬送車の操作方法。
【発明の詳細な説明】
【技術分野】
【０００１】
本発明は、自走式長尺物搬送車とその操作方法に関し、特に、道路の幅員が狭い場合であっても長尺物を無難に搬送可能にする自走式長尺物搬送車とその操作方法に関する。
【背景技術】
【０００２】
従来における長尺物やラックに積み込んだパイプ等の搬送は、一般的に大型フォークリフト、トレーラ式トラックのような専用の運搬車両もしくはクレーン等で運搬しているのが一般的でありながら、大型フォークリフトでは道路等の走行幅に制約され、又、専用の運搬車両でも走行が容易でないこと、さらに、クレーンでの運搬は運搬範囲が限定されるという具合に多くの問題点が指摘されていた。
【０００３】
そこで、例えば、パイプをラックに積み込んだ場合については、トラックヘッドとトレーラーとを縦軸心の周りで相対的に回動自在に連結し、トレーラにはラックの吊上げ装置を設けると共に前後方向で伸縮自在に構成したフレーム部分を配置することで、パイプの長さ方向を車長方向にして自ら積み降ろし出来るようにして走行幅の制約を受けずに走行可能にすると共に、空での走行時や短尺物の運搬時には、車長を短くすることで走行の無駄を無くした運搬車両も提案されている。（例えば、特許文献1を参照）
【０００４】
しかるに、長尺物の中でも、最近におけるエネルギー対策の一環である風力発電の風車用に採用されている３０〜４０ｍのブレード等の場合には、パイプの搬送とは比べようも無いものであり、上述した大型フォークリフト、専用の運搬車両もしくはクレーン等で運搬するには、カーブ区間等で道路用地からはみ出したり、反対車線に張り出して自然物・構造物に当たったりして、当該施設の設置場所に運搬するのが殆ど不可能な場合があった。
【０００５】
即ち、図３は、風力発電の風車用に採用されている３０〜４０ｍのブレード２０を運転車２１に牽引されているトレーラー２２に搭載している例であるが、ブレード２０は、トレーラー２２から前後方向に大きくはみ出した形態で載置されている。従って、図４に示すように道路２３のカーブ区間を走行する場合には、対向車線２４の方向にその後部先端２５を大きくはみ出させることになり、極めて危険な状態を発現させることになる。
【０００６】
又、現状における大部分の風力発電施設は、海浜や海洋をその設置地として選択している。しかして、同施設の効率的な設置適地としては、海浜や海洋の他にも山岳部の稜線を対象にすることが充分に可能であるにも拘らず、当該施設の設置場所に山岳部の稜線を対象にしていない要因には、上記のようなブレード等の搬送問題が大きな課題になっている。
【０００７】
即ち、山岳部の稜線へのアプローチは、カーブが多いために、３０〜４０ｍのブレード等をトレーラーのような専用の運搬車に搭載させて運搬することは、道路の幅員が狭いことで実質的に通過不可能だからである。
【０００８】
従って、長尺物の無難な搬送を可能にすることは、単なる搬送上の課題解決に留まらず、山岳部の稜線地域に風力発電施設を構築することが可能になるものであり、エネルギー問題の対策にも通じるものであることから、早急な解決が嘱望されている。
【特許文献１】特開平１０−７６８７７号公報（段落番号「０００４」〜「０００５」、「００１０」〜「００１８」、図１、２）
【発明の開示】
【発明が解決しようとする課題】
【０００９】
本発明は、上記の問題に鑑みて提案するものであり、道路の幅員が狭い場合であっても長尺物を無難に搬送出来るようにする自走式長尺物搬送車とその操作方法を提供している。
【課題を解決するための手段】
【００１０】
本発明による自走式長尺物搬送車は、長尺物を載置させる架台と、架台の一方端を支持する支点と他方端を起伏可能に支持するジャッキから成る起伏装置及び起伏装置を装備する架台支持盤から成る自走式走行車から構成され、起伏装置の支点を起伏装置のジャッキの伸長に従ってジャッキの方向に移動させたり、自走式搬送車の前後輪共ステアリングを切れるように構成したりすることを特徴としており、長尺物を載置させている架台を必要に応じて起こさせることで長尺物の走路からのはみ出しを制限することで、道路の幅員が狭い場合であっても長尺物を無難に搬送出来るようにしている。
【００１１】
本発明による自走式長尺物搬送車の操作方法は、上記自走式長尺物搬送車の操作方法であって、長尺物を載置させた自走式搬送車が走行方向を変更する際に、長尺物を載置させている架台を必要に応じて起こさせて長尺物の走路からのはみ出しを制限しており、長尺物を載置させている架台の起こしを起伏装置のジャッキを伸長させると共に起伏装置の支点を起伏装置のジャッキの伸長に従ってジャッキの方向に移動させて行うことを特徴としており、道路の幅員が狭い場合であっても曲線部を運転するに際して、長尺物を載置させている架台を起こすように操作して長尺物が走路からはみ出すのを制限することで、長尺物を無難に搬送出来るようにしている。
【発明の効果】
【００１２】
本発明の自走式長尺物搬送車は、長尺物を載置させる架台と、架台の一方端を支持する支点と他方端を起伏可能に支持するジャッキから成る起伏装置及び起伏装置を装備する架台支持盤から成る自走式走行車から構成し、起伏装置の支点を起伏装置のジャッキの伸長に従ってジャッキの方向に移動させたり、自走式搬送車の前後輪共ステアリングを切れるように構成したりすることを特徴としているので、道路の幅員が狭い場合であっても長尺物を無難に搬送出来る効果を奏している。
【００１３】
本発明の自走式長尺物搬送車の操作方法は、上記自走式長尺物搬送車を操作するのに、長尺物を載置させた自走式搬送車が走行方向を変更する際に、長尺物を載置させている架台を必要に応じて起こさせて長尺物の走路からのはみ出しを制限し、長尺物を載置させている架台の起こしを起伏装置のジャッキを伸長させると共に起伏装置の支点を起伏装置のジャッキの伸長に従ってジャッキの方向に移動させて行うことを特徴としているので、道路の幅員が狭い場合であっても曲線部を運転する際に長尺物を載置させている架台を起こすように操作して長尺物が走路からはみ出すのを制限することで、長尺物を無難に搬送出来る効果を奏している。
【発明を実施するための最良の形態】
【００１４】
本発明による自走式長尺物搬送車は、長尺物を載置させる架台と、架台の一方端を支持する支点と他方端を起伏可能に支持するジャッキから成る起伏装置及び該起伏装置を装備する架台支持盤から成る自走式走行車から構成することを基本にし、起伏装置の支点を起伏装置のジャッキの伸長に従ってジャッキの方向に移動させたり、自走式搬送車の前後輪共ステアリングを切れるように構成したりすることを特徴としている。
以下に、本発明による自走式長尺物搬送車に関する実施の形態を図面に基づいて詳細に説明する。
【実施例１】
【００１５】
図１は、本発明の自走式長尺物搬送車１を図１−１の側面図と図１−２の平面図とで示す実施の形態図であり、従来と同様のブレード２０は、自走式長尺物搬送車１の進行方向に突出させる形態で架台２に載置されている。架台２は、自走式走行車３の旋回台３−３を介して旋回可能に支持されている架台支持盤４とこの架台支持盤４に装備されている起伏装置５とによって、旋回と起伏可能に支持されており、自走式長尺物搬送車１の全体構成は、ブレード２０が移動して行く方向の状況を確認しながら搬送できるように構成されている。
【００１６】
自走式走行車３は、その前後車輪３−１、３−２をそれぞれにステアリングが切れるように構成しており、自走式長尺物搬送車１が周辺状況に迅速に対応できるように、その旋回操作等の運転性を容易にしている。
【００１７】
又、架台支持盤４は、自走式走行車３に設けられている旋回台３−３の図示しない旋回機構によって進行方向の左右に回動させることを可能にしており、その旋回台３−３を中間点にして、架台支持盤４の一方端６に配備される架台２の支点７に対応させるように、その他方端８にはカウンターウエイト９を装備させることによって、架台２が起伏する際に旋回台３−３に加えられる偏荷重を回避させている。
【００１８】
架台支持盤４に装備されている起伏装置５は、架台２を起伏させるように架台支持盤４の略中央位置に設けられている伸縮ジャッキ１０と、架台支持盤４においてスライド可能かつ架台２の一方端に配置されて架台２を支持する支点７と、架台支持盤４に取り付けられ前記支点７をスライド移動させる伸縮ジャッキ１１とから構成されている。しかして、支点７は、伸縮ジャッキ１０の伸長に追随して旋回台３−３の方向に伸縮ジャッキ１１の収縮によってスライド移行するように構成されることで、架台２の起伏作動を効率的にしている。
【００１９】
以上の実施の形態で明らかにしたように、本発明による自走式長尺物搬送車は、長尺物の搬送に際して、従来のように搭載している長尺物を単に左右に振り回しながら走行するものでなく、道路に沿った運転に当たって搭載している長尺物を必要に応じて起立させることが出来るように構成することを特長にしており、道路の幅員が狭い場合であっても長尺物を無難に搬送出来る効果を奏している。
【００２０】
次に、本発明による自走式長尺物搬送車の操作方法について説明する。
本発明による自走式長尺物搬送車の操作方法は、上記自走式長尺物搬送車の操作方法であって、長尺物を載置させた自走式搬送車が走行方向を変更する際に、長尺物を載置させている架台を必要に応じて起こさせて長尺物の走路からのはみ出しを制限しており、長尺物を載置させている架台の起こしを起伏装置のジャッキを伸長させると共に起伏装置の支点を起伏装置のジャッキの伸長に従って伸長して起伏するジャッキの方向に移動させて行うことを特徴としている。
以下に、本発明による自走式長尺物搬送車の操作方法に関する実施の形態を図面に基づいて詳細に説明する。
【実施例２】
【００２１】
図２は、本発明による自走式長尺物搬送車の操作方法を特長的に説明するために示す図２−１の側面図と図２−２の走行平面図とであり、道路が狭い幅員の曲線部を有している場合でも、その運転に際しては長尺物が走路からはみ出すのを回避しながら無難に搬送できる状態を示している。
【００２２】
図２−１の側面図では、搭載している長尺物を起立させた状態を示している。
架台２を起伏させる際の起伏装置５は、架台支持盤４の伸縮ジャッキ１０を伸長させて架台２を上方に押し上げており、伸縮ジャッキ１０の伸長に追随して移動する支点７は、伸縮ジャッキ１１の収縮によって旋回台３−３の方向に移行することで、架台２の起き上がりを助長させている。
【００２３】
これによって、架台２とこれに搭載している長尺物２０は、自走式走行車３の上に起立した状態を形成しており、起伏装置５の稼動前には進行方向に突出させていた長尺物２０の先端を自走式走行車３から突出させない状態に移行させている。
【００２４】
即ち、本発明の自走式長尺物搬送車１を用いる場合には、図２−２の平面図で明らかにしているように、従来例の図４で示したカーブしている道路２３を走行する場合に、自走式走行車３は前後車輪３−１、３−２のステアリングを切ることによって迅速に対応させて道路２３の方向に追随している。一方、搭載している長尺物２０に対しては、起伏装置５を操作することで、架台支持盤４に対して伸縮ジャッキ１０を伸長させて架台２を上方に押し上げながら、伸縮ジャッキ１１の収縮によって支点７を旋回台３−３の方向に移行させることで、長尺物２０を架台２と共に起き上がらせている。この際に、必要な場合には、旋回台３−３の旋回機構によって架台２を適宜に旋回させており、これによって、対向車線２４の方向に長尺物２０の先端２５がはみ出すことを皆無にして長尺物を無難に搬送している。
【００２５】
以上の実施の形態で明らかにしたように、本発明による自走式長尺物搬送車の操作方法は、長尺物の搬送に際して、道路の曲線部を運転するに当たって長尺物を載置させている架台を起こすように操作することで搭載している長尺物を起立させており、道路の幅員が狭い場合であっても曲線部を運転するに際して、長尺物が走路からはみ出すのを制限することで長尺物を無難に搬送出来る。
【００２６】
従って、例示した風力発電施設を構築する場合にあっても、従来のように海浜や海洋のみを設置地として選択することなく、山岳部の稜線をも対象にすることが充分に可能になるもので、緊急化しているエネルギー問題の解決にも貢献するものである。
【００２７】
以上、本発明をそれぞれの実施の形態に基づいて詳細に説明してきたが、本発明による自走式長尺物搬送車とその操作方法は、上記実施の形態に何ら限定されるものでなく、パイプやブレード以外の具体的な長尺物、自走式搬送車の形態及び支点や伸縮ジャッキの具体的な形態等について、本発明の上記の趣旨を逸脱しない範囲において、種々の変更が可能であるのは当然のことである。
【産業上の利用可能性】
【００２８】
本発明は、道路の幅員が狭い場合であっても長尺物を無難に搬送出来るようにする自走式長尺物搬送車とその操作方法を、風力発電施設の山岳部稜線への構築等に適用することでエネルギー問題の解決にも利用できるものである。
【図面の簡単な説明】
【００２９】
【図１−１】本発明による自走式長尺物搬送車の側面を示す実施の形態図
【図１−２】本発明による自走式長尺物搬送車の平面を示す実施の形態図
【図２−１】本発明による自走式長尺物搬送車の操作方法を側面で示す実施の形態図
【図２−２】本発明による自走式長尺物搬送車の操作方法を平面で示す実施の形態図
【図３】従来における風力発電用ブレードの搬送形態図
【図４】従来における長尺物搬送時のはみ出し状態を示す搬送形態図
【符号の説明】
【００３０】
１  自走式長尺物搬送車、  ２  架台、  ３  自走式走行車、
３−１、３−２  前後輪、  ３−３  旋回台、  ４  架台支持盤、
５  起伏装置、  ６  一方端、  ７  支点、  ８  他方端、
９  カウンターウエイト、  １０、１１  伸縮ジャッキ、
２０  ブレード、  ２１  運転車、  ２２  トレーラー、  ２３  道路、
２４  対向車線、  ２５  先端
【図１−１】
2005206119.tif 000003
【図１−２】
2005206119.tif 000004
【図２−１】
2005206119.tif 000005
【図２−２】
2005206119.tif 000006
【図３】
2005206119.tif 000007
【図４】
2005206119.tif 000008